(57)【要約】【解決手段】熱により溶融し得る合成樹脂を含む被装飾布（編み紐２）を電気こて３により溶融し、溶融した被装飾布（編み紐２）が熱による変化後に固形樹脂化し、次に、熱により溶融し得る合成樹脂を含む被接着布（模様片５）を、熱による変化後に固形樹脂化した被装飾布（編み紐４）に当てがうとともに、その被接着布（模様片５）を電気こて３により溶融し、溶融した被接着布（模様片５）が固形樹脂化して被装飾布（編み紐４）に被接着布（模様片６）として接着される。【効果】従来の装飾方法では得られない独特な外観（質感や色合いなど）や感触をかもし出すことができる。【選択図】図１
2012213892.tif 000002
【特許請求の範囲】
【請求項１】
熱により溶融し得る樹脂を含む被接着布を被装飾体に当てがうとともに、その被接着布を熱付与手段により溶融し、溶融した被接着布が熱による変化後に固形樹脂化して被装飾体に接着されることを特徴とする装飾方法。
【請求項２】
熱により溶融し得る樹脂を含む被装飾布を熱付与手段により溶融し、溶融した被装飾布が熱による変化後に固形樹脂化することを特徴とする装飾方法。
【請求項３】
熱により溶融し得る樹脂を含む被装飾布を熱付与手段により溶融し、溶融した被装飾布が熱による変化後に固形樹脂化し、
次に、熱により溶融し得る樹脂を含む被接着布を、熱による変化後に固形樹脂化した被装飾布に当てがうとともに、その被接着布を熱付与手段により溶融し、溶融した被接着布が熱による変化後に固形樹脂化して被装飾布に接着される
ことを特徴とする装飾方法。
【請求項４】
前記熱付与手段はこてであることを特徴とする請求項１から請求項３のうちいずれか一つの請求項に記載の装飾方法。
【請求項５】
請求項１から請求項４のうちいずれか一つの請求項に記載の装飾方法により得られた装飾品。
【発明の詳細な説明】
【技術分野】
【０００１】
本発明は、工芸品などの各種品物に装飾を施す装飾方法、並びに、その装飾方法により得られる装飾品に関するものである。
【背景技術】
【０００２】
従来、各種の品物に模様などの装飾を施す際には、模様片を貼ったり、絵の具で模様を描いたりしていた。
【発明の概要】
【発明が解決しようとする課題】
【０００３】
この発明は、従来の装飾方法では得られない独特な外観や感触をかもし出すことができる装飾方法及び装飾品を提供することを目的としている。
【課題を解決するための手段】
【０００４】
後記実施形態の図面（図１に示す第１実施形態、図２に示す第２実施形態）の符号を援用して本発明を説明する。
請求項１の発明にかかる装飾方法においては、熱により溶融し得る樹脂を含む被接着布（５，１３）を被装飾体（４，１１）に当てがうとともに、その被接着布（５，１３）、少なくとも被接着布（５，１３）の表面部の一部または全部を熱付与手段（３）により溶融し、溶融した被接着布（５，１３）、例えば溶融した被接着布（５，１３）の表面部の一部または全部が熱による変化後に固形樹脂化して、固形樹脂化した被接着布（６，１４）が被装飾体（４，１１）に接着される。ちなみに、被接着布（５，１３）を被装飾体（４，１１）に当てがう作業と、被接着布（５，１３）を溶融する作業とについては、いずれの作業を先行させても、それらの作業を同時に行ってもよい。また、被接着布（５，１３）の一部のみが樹脂により成形されていても被接着布（５，１３）の全部が樹脂により成形されていてもよい。請求項１の発明では、被接着布（５，１３）を熱により溶融するだけの簡単な作業で、熱による変化後に固形樹脂化した模様などの被接着布（６，１４）を被装飾体（４，１１）に接着して、模様などの被接着布（６，１４）により独特な外観（質感や色合いなど）や感触をかもし出すことができる。
【０００５】
請求項２の発明にかかる装飾方法においては、熱により溶融し得る樹脂を含む被装飾布（２，１０）、少なくとも被装飾布（２，１０）の表面部の一部または全部を熱付与手段（３）により溶融し、溶融した被装飾布（２，１０）、例えば溶融した被装飾布（２，１０）の表面部の一部または全部が熱による変化後に固形樹脂化する。ちなみに、被装飾布（２，１０）の一部のみが樹脂により成形されていても被装飾布（２，１０）の全部が樹脂により成形されていてもよい。請求項２の発明では、被装飾布（２，１０）を熱により溶融するだけの簡単な作業で、熱による変化後に固形樹脂化した被装飾布（４，１１）により独特な外観（質感や色合いなど）や感触をかもし出すことができる。
【０００６】
請求項３の発明にかかる装飾方法においては、熱により溶融し得る樹脂を含む被装飾布（２，１０）、少なくとも被装飾布（２，１０）の表面部の一部または全部を熱付与手段（３）により溶融し、溶融した被装飾布（２，１０）、例えば溶融した被装飾布（２，１０）の表面部の一部または全部が熱による変化後に固形樹脂化し、次に、熱により溶融し得る樹脂料を含む被接着布（５，１３）を、熱による変化後に固形樹脂化した被装飾布（４，１１）に当てがうとともに、その被接着布（５，１３）、少なくとも被接着布（５，１３）の表面部の一部または全部を熱付与手段（３）により溶融し、溶融した被接着布（５，１３）、例えば溶融した被接着布（５，１３）の表面部の一部または全部が固形樹脂化して被装飾布（４，１１）に被接着布（６，１４）として接着される。請求項３の発明では、被装飾布（２，１０）を熱により溶融するだけの簡単な作業で、熱による変化後に固形樹脂化した被装飾布（４，１１）が独特な外観（質感や色合いなど）や感触をかもし出すことができるばかりではなく、被接着布（５，１３）を熱により溶融するだけの簡単な作業で、熱による変化後に固形樹脂化して独特な外観（質感や色合いなど）や感触をかもし出した前記被装飾布（４，１１）に対し、さらに熱による変化後に固形樹脂化した模様などの被接着布（６，１４）を接着して、模様などの被接着布（６，１４）により独特な外観（質感や色合いなど）や感触をかもし出すことができる。
【０００７】
請求項１から請求項３のうちいずれか一つの請求項の発明を前提とする請求項４の発明において、前記熱付与手段はこて（３）例えば電気こて（３）である。請求項４の発明では、被接着布（５，１３）や被装飾布（２，１０）を手作業で容易に溶融することができるとともに、その手作業時に被接着布（５，１３）や被装飾布（２，１０）の細部を溶融する作業を行ない易い。
【０００８】
請求項５の発明にかかる装飾品は、請求項１から請求項４のうちいずれか一つの請求項に記載の装飾方法により得られる。請求項５の発明では、例えば、被接着布（５，１３）を熱により溶融するだけの簡単な作業で固形樹脂化して独特な外観（質感や色合いなど）や感触をかもし出した模様などの被接着布（６，１４）を被装飾布（４，１１）に接着した装飾品（７，１５）や、被装飾布（２，１０）を熱により溶融するだけの簡単な作業で固形樹脂化して独特な外観（質感や色合いなど）や感触をかもし出した被装飾布（４，１１）を有する装飾品（４，１２）や、その被接着布（６，１４）と被装飾布（４，１１）とを組み合わせた装飾品（７，１５）を提供することができる。
【発明の効果】
【０００９】
本発明は、布を熱により固形樹脂化して、従来の装飾方法では得られない独特な外観（質感や色合いなど）や感触をかもし出すことができる装飾方法及び装飾品を提供することができる。
【図面の簡単な説明】
【００１０】
【図１】第１実施形態にかかる装飾方法を説明するための工程図である。
【図２】第２実施形態にかかる装飾方法を説明するための工程図である。
【発明を実施するための形態】
【００１１】
まず、本発明の第１実施形態について図１を参照して説明する。
図１(ａ)に示す布紐１は、熱により溶融し得る合成樹脂を含む布管１ａ内に、心材を挿通したり、さらにその心材に針金を挿通したりしたものである。なお、そのような心材や針金を省略した布紐１であってもよい。ちなみに、布とは多数の繊維を薄く広い板状に加工したものを指し、作り方によって織物、編み物（メリヤス生地）、レース、フェルト、不織布に分けられ、使用している繊維の種類、織り方、編み方により性質が決まる。
【００１２】
図１(ｂ)に示す編み紐２はその布紐１を所定形態に編んだものである。その編み紐２（被装飾布）に電気こて３（熱付与手段）を当てがって編み紐２の表面部を溶融して軟らかくすると、図１(ｃ)に示すように、熱による変化後に自然冷却されて固形樹脂化した編み紐４（装飾品、被装飾体、被装飾布）を作ることができる。
【００１３】
さらに、図１(ｄ)に示すように、熱により溶融し得る合成樹脂を含む模様片５（被接着布）を用意して、前記編み紐４に載せる。次に、図１(ｅ)に示すようにこの模様片５に電気こて３を当てがって模様片５の表面部を溶融して軟らかくすると、図１(ｆ)に示すように、熱による変化後に自然冷却されて固形樹脂化した模様片６が編み紐４に接着された装飾品７を作ることができる。
【００１４】
次に、本発明の第２実施形態について図２を参照して説明する。
図２(ａ)に示すように両端部に紐９が引掛けられた金属棒８の外周に挿着された筒布１０（被装飾体、被装飾布）は、熱により溶融し得る合成樹脂を含む。その筒布１０に電気こて３（熱付与手段）を当てがって筒布１０の表面部を溶融して軟らかくすると、図２(ｂ)に示すように、熱による変化後に自然冷却されて固形樹脂化した筒布１１を有する装飾品１２を作ることができる。
【００１５】
さらに、図２(ｃ)に示すように、熱により溶融し得る合成樹脂を含む模様片１３（被接着布）を用意して、前記筒布１１（被装飾体、被装飾布）に載せる。次に、図２(ｄ)に示すようにこの模様片１３に電気こて３を当てがって模様片１３の表面部を溶融して軟らかくすると、図２(ｅ)に示すように、熱による変化後に自然冷却されて固形樹脂化した模様片１４（被接着布）が筒布１１に接着された装飾品１５を作ることができる。
【００１６】
第１実施形態及び第２実施形態は下記の効果を有する。
（１）  電気こて３などの熱により溶融し得る合成樹脂を含む被装飾布（編み紐２、筒布１０）を溶融するだけの簡単な作業で、熱による変化後に固形樹脂化した被装飾布（編み紐４、筒布１１）により独特な外観（質感や色合いなど）や感触をかもし出すとすることができる。
【００１７】
（２）  電気こて３などの熱により溶融し得る合成樹脂を含む被接着布（模様片５、模様片１３）を溶融するだけの簡単な作業で、熱による変化後に固形樹脂化して独特な外観（質感や色合いなど）や感触をかもし出した前記被装飾布（編み紐４、筒布１１）に対し、さらに熱による変化後に固形樹脂化した被接着布（模様片６、模様片１４）を接着して、その被接着布（模様片６、模様片１４）により独特な外観（質感や色合いなど）や感触をかもし出すことができる。
【００１８】
（３）  独特な外観（質感や色合いなど）や感触をかもし出した被接着布（模様片６、模様片１４）を被装飾布（編み紐４、筒布１１）に接着した装飾品（装飾品７、装飾品１５）や、独特な外観（質感や色合いなど）や感触をかもし出した被装飾布（編み紐４、筒布１１）を有する装飾品（編み紐４，装飾品１２）や、その被接着布（模様片６、模様片１４）と被装飾布（編み紐４、筒布１１）とを組み合わせた装飾品（装飾品７、装飾品１５）を提供することができる。
【００１９】
前記実施形態以外にも例えば下記のように構成してもよい。
・  第１実施形態の模様片５や第２実施形態の模様片１３などの被接着布を接着する被装飾体としては、第１実施形態の編み紐２，４や第２実施形態の筒布１０，１１に限らず、それらの模様片５，１３などの被接着布を接着することができる各種品物であってもよく、必ずしも布でなくてもよい。
【００２０】
・  溶融温度の異なる複数の合成樹脂を含む被装飾布や被接着布を採用すれば、その被装飾布や被接着布が熱による変化後に自然冷却されて固形樹脂化されると、多種多様な外観（質感や色合いなど）や感触をかもし出すことができる。
【００２１】
・  熱付与手段としてのこてとしては、電気こてに限らず、火に当てて加熱することができるものであってもよい。また、熱付与手段としては、こてに限らず、アイロンなどであってもよい。
【符号の説明】
【００２２】
２…編み紐（被装飾体、被装飾布）、３…電気こて（熱付与手段）、４…編み紐（装飾品、被装飾体、被装飾布）、５…模様片（被接着布）、６…模様片、７…装飾品、１０…筒布（被装飾体、被装飾布）、１１…筒布（被装飾体、被装飾布）、１２…装飾品、１３…模様片（被接着布）、１４…模様片、１５…装飾品。
【図１】
2012213892.tif 000003
【図２】
2012213892.tif 000004
【手続補正書】
【提出日】平成23年5月27日(2011.5.27)
【手続補正１】
【補正対象書類名】特許請求の範囲
【補正対象項目名】全文
【補正方法】変更
【補正の内容】
【特許請求の範囲】
【請求項１】
熱により溶融し得る樹脂を含む被接着布が熱による変化後に固形樹脂化して被装飾体に接着されたことを特徴とする装飾品。
【請求項２】
熱により溶融し得る樹脂を含む被接着布を被装飾体に当てがうとともに、その被接着布を熱付与手段により溶融し、溶融した被接着布が熱による変化後に固形樹脂化して被装飾体に接着されることを特徴とする装飾方法。
【請求項３】
熱により溶融し得る樹脂を含む被装飾布が熱による変化後に固形樹脂化したことを特徴とする装飾品。
【請求項４】
熱により溶融し得る樹脂を含む被装飾布を熱付与手段により溶融し、溶融した被装飾布が熱による変化後に固形樹脂化することを特徴とする装飾方法。
【請求項５】
熱により溶融し得る樹脂を含む被装飾布が熱による変化後に固形樹脂化したものに対し、熱により溶融し得る樹脂を含む被接着布が熱による変化後に固形樹脂化して接着されたことを特徴とする装飾品。
【請求項６】
熱により溶融し得る樹脂を含む被装飾布を熱付与手段により溶融し、溶融した被装飾布が熱による変化後に固形樹脂化し、
次に、熱により溶融し得る樹脂を含む被接着布を、熱による変化後に固形樹脂化した被装飾布に当てがうとともに、その被接着布を熱付与手段により溶融し、溶融した被接着布が熱による変化後に固形樹脂化して被装飾布に接着される
ことを特徴とする装飾方法。
【請求項７】
前記熱付与手段はこてであることを特徴とする請求項２または請求項４または請求項６に記載の装飾方法。
【手続補正３】
【補正対象書類名】明細書
【補正対象項目名】０００１
【補正方法】変更
【補正の内容】
【０００１】
本発明は、工芸品などの各種品物である装飾品、並びに、その装飾品を得るための装飾方法に関するものである。
【手続補正４】
【補正対象書類名】明細書
【補正対象項目名】０００３
【補正方法】変更
【補正の内容】
【０００３】
この発明は、従来の装飾品及び装飾方法では得られない独特な外観や感触をかもし出すことができる装飾品及び装飾方法を提供することを目的としている。
【手続補正５】
【補正対象書類名】明細書
【補正対象項目名】０００４
【補正方法】変更
【補正の内容】
【０００４】
後記実施形態の図面（図１に示す第１実施形態、図２に示す第２実施形態）の符号を援用して本発明を説明する。
請求項１の発明にかかる装飾品（７，１５）は、熱により溶融し得る樹脂を含む被接着布（５，１３）が熱による変化後に固形樹脂化して被装飾体（４，１１）に接着されたものである。請求項１の発明では、固形樹脂化した模様などの被接着布（６，１４）により独特な外観（質感や色合いなど）や感触をかもし出すことができる。
請求項２の発明にかかる装飾方法においては、熱により溶融し得る樹脂を含む被接着布（５，１３）を被装飾体（４，１１）に当てがうとともに、その被接着布（５，１３）、少なくとも被接着布（５，１３）の表面部の一部または全部を熱付与手段（３）により溶融し、溶融した被接着布（５，１３）、例えば溶融した被接着布（５，１３）の表面部の一部または全部が熱による変化後に固形樹脂化して、固形樹脂化した被接着布（６，１４）が被装飾体（４，１１）に接着される。ちなみに、被接着布（５，１３）を被装飾体（４，１１）に当てがう作業と、被接着布（５，１３）を溶融する作業とについては、いずれの作業を先行させても、それらの作業を同時に行ってもよい。また、被接着布（５，１３）の一部のみが樹脂により成形されていても被接着布（５，１３）の全部が樹脂により成形されていてもよい。請求項２の発明では、被接着布（５，１３）を熱により溶融するだけの簡単な作業で、熱による変化後に固形樹脂化した模様などの被接着布（６，１４）を被装飾体（４，１１）に接着して、模様などの被接着布（６，１４）により独特な外観（質感や色合いなど）や感触をかもし出すことができる。
【手続補正６】
【補正対象書類名】明細書
【補正対象項目名】０００５
【補正方法】変更
【補正の内容】
【０００５】
請求項３の発明にかかる装飾品（４，１２）は、熱により溶融し得る樹脂を含む被装飾布（２，１０）が熱による変化後に固形樹脂化したものである。請求項３の発明では、固形樹脂化した被装飾布（４，１１）により独特な外観（質感や色合いなど）や感触をかもし出すことができる。
請求項４の発明にかかる装飾方法においては、熱により溶融し得る樹脂を含む被装飾布（２，１０）、少なくとも被装飾布（２，１０）の表面部の一部または全部を熱付与手段（３）により溶融し、溶融した被装飾布（２，１０）、例えば溶融した被装飾布（２，１０）の表面部の一部または全部が熱による変化後に固形樹脂化する。ちなみに、被装飾布（２，１０）の一部のみが樹脂により成形されていても被装飾布（２，１０）の全部が樹脂により成形されていてもよい。請求項４の発明では、被装飾布（２，１０）を熱により溶融するだけの簡単な作業で、熱による変化後に固形樹脂化した被装飾布（４，１１）により独特な外観（質感や色合いなど）や感触をかもし出すことができる。
【手続補正７】
【補正対象書類名】明細書
【補正対象項目名】０００６
【補正方法】変更
【補正の内容】
【０００６】
請求項５の発明にかかる装飾品（７，１５）は、熱により溶融し得る樹脂を含む被装飾布（２，１０）が熱による変化後に固形樹脂化したもの（４，１１）に対し、熱により溶融し得る樹脂を含む被接着布（５，１３）が熱による変化後に固形樹脂化して接着されたものである。請求項５の発明では、固形樹脂化した被装飾布（４，１１）及び被接着布（６，１４）により独特な外観（質感や色合いなど）や感触をかもし出すことができる。
請求項６の発明にかかる装飾方法においては、熱により溶融し得る樹脂を含む被装飾布（２，１０）、少なくとも被装飾布（２，１０）の表面部の一部または全部を熱付与手段（３）により溶融し、溶融した被装飾布（２，１０）、例えば溶融した被装飾布（２，１０）の表面部の一部または全部が熱による変化後に固形樹脂化し、次に、熱により溶融し得る樹脂料を含む被接着布（５，１３）を、熱による変化後に固形樹脂化した被装飾布（４，１１）に当てがうとともに、その被接着布（５，１３）、少なくとも被接着布（５，１３）の表面部の一部または全部を熱付与手段（３）により溶融し、溶融した被接着布（５，１３）、例えば溶融した被接着布（５，１３）の表面部の一部または全部が固形樹脂化して被装飾布（４，１１）に被接着布（６，１４）として接着される。請求項６の発明では、被装飾布（２，１０）を熱により溶融するだけの簡単な作業で、熱による変化後に固形樹脂化した被装飾布（４，１１）が独特な外観（質感や色合いなど）や感触をかもし出すことができるばかりではなく、被接着布（５，１３）を熱により溶融するだけの簡単な作業で、熱による変化後に固形樹脂化して独特な外観（質感や色合いなど）や感触をかもし出した前記被装飾布（４，１１）に対し、さらに熱による変化後に固形樹脂化した模様などの被接着布（６，１４）を接着して、模様などの被接着布（６，１４）により独特な外観（質感や色合いなど）や感触をかもし出すことができる。
【手続補正８】
【補正対象書類名】明細書
【補正対象項目名】０００７
【補正方法】変更
【補正の内容】
【０００７】
請求項２または請求項４または請求項６の発明を前提とする請求項７の発明において、前記熱付与手段はこて（３）例えば電気こて（３）である。請求項７の発明では、被接着布（５，１３）や被装飾布（２，１０）を手作業で容易に溶融することができるとともに、その手作業時に被接着布（５，１３）や被装飾布（２，１０）の細部を溶融する作業を行ない易い。
【手続補正９】
【補正対象書類名】明細書
【補正対象項目名】０００８
【補正方法】削除
【補正の内容】
【手続補正１０】
【補正対象書類名】明細書
【補正対象項目名】０００９
【補正方法】変更
【補正の内容】
【０００９】
本発明は、布を熱により固形樹脂化して、従来の装飾品及び装飾方法では得られない独特な外観（質感や色合いなど）や感触をかもし出すことができる装飾品及び装飾方法を提供することができる。
【手続補正１１】
【補正対象書類名】明細書
【補正対象項目名】００１１
【補正方法】変更
【補正の内容】
【００１１】
まず、本発明の第１実施形態について図１を参照して説明する。
図１（ａ）に示す布紐１は、熱により溶融し得る合成樹脂を含む布管１ａ内に、心材を挿通したり、さらにその心材に針金を挿通したりしたものである。なお、そのような心材や針金を省略した布紐１であってもよい。ちなみに、布とは多数の繊維を薄く広い板状に加工したものを指し、作り方によって織物、編み物（メリヤス生地）、レース、フェルト、不織布に分けられ、使用している繊維の種類、織り方、編み方により性質が決まる。
【手続補正１２】
【補正対象書類名】明細書
【補正対象項目名】００１２
【補正方法】変更
【補正の内容】
【００１２】
図１（ｂ）に示す編み紐２はその布紐１を所定形態に編んだものである。その編み紐２（被装飾布）に電気こて３（熱付与手段）を当てがって編み紐２の表面部を溶融して軟らかくすると、図１（ｃ）に示すように、熱による変化後に自然冷却されて固形樹脂化した編み紐４（装飾品、被装飾体、被装飾布）を作ることができる。
【手続補正１３】
【補正対象書類名】明細書
【補正対象項目名】００１３
【補正方法】変更
【補正の内容】
【００１３】
さらに、図１（ｄ）に示すように、熱により溶融し得る合成樹脂を含む模様片５（被接着布）を用意して、前記編み紐４に載せる。次に、図１（ｅ）に示すようにこの模様片５に電気こて３を当てがって模様片５の表面部を溶融して軟らかくすると、図１（ｆ）に示すように、熱による変化後に自然冷却されて固形樹脂化した模様片６が編み紐４に接着された装飾品７を作ることができる。
【手続補正１４】
【補正対象書類名】明細書
【補正対象項目名】００１４
【補正方法】変更
【補正の内容】
【００１４】
次に、本発明の第２実施形態について図２を参照して説明する。
図２（ａ）に示すように両端部に紐９が引掛けられた金属棒８の外周に挿着された筒布１０（被装飾体、被装飾布）は、熱により溶融し得る合成樹脂を含む。その筒布１０に電気こて３（熱付与手段）を当てがって筒布１０の表面部を溶融して軟らかくすると、図２（ｂ）に示すように、熱による変化後に自然冷却されて固形樹脂化した筒布１１を有する装飾品１２を作ることができる。
【手続補正１５】
【補正対象書類名】明細書
【補正対象項目名】００１５
【補正方法】変更
【補正の内容】
【００１５】
さらに、図２（ｃ）に示すように、熱により溶融し得る合成樹脂を含む模様片１３（被接着布）を用意して、前記筒布１１（被装飾体、被装飾布）に載せる。次に、図２（ｄ）に示すようにこの模様片１３に電気こて３を当てがって模様片１３の表面部を溶融して軟らかくすると、図２（ｅ）に示すように、熱による変化後に自然冷却されて固形樹脂化した模様片１４（被接着布）が筒布１１に接着された装飾品１５を作ることができる。